(57)【要約】【課題】変化のない画像データを再書き込みするための処理を減少させる。【解決手段】  本発明にかかるシステムにおいて、入力コントローラは、一連の画像データ・グループを受け取り、現行画像データ・グループと先行画像データ・グループの対応するサブグループ位置におけるサブグループ値に基づいて、各サブグループ位置の比較値を決定し、さらに、比較値に基づいた更新信号を提供し、更新信号がデータ伝送減少を示すときにＮ個未満のビットを有し現行画像データ・グループを表す更新画像データ・グループを提供する。表示コントローラは、更新信号と更新画像データ・グループを受け取り、更新データ・グループなどの関数のうちの少なくとも１つを形成するＮ個のビットのデータを有する更新信号に基づいて、セル・グループを更新する。【選択図】図１Ａ
2005115368.tif 000002
【特許請求の範囲】
【請求項１】
データに基づいて光を変調する表示セル（３２／１２０／２２０）を制御するシステム（３０／１１０／２１０）であって、
それぞれＮ個のビットを有し、サブグループ値とサブグループ位置をそれぞれ有し各位置がセルのグループのうちの１つのセルに対応しているサブグループで配列された一連のデータ・グループを受け取り、現行データ・グループと先行データ・グループの対応するサブグループ位置におけるサブグループ値に基づいて、各サブグループ位置の比較値を決定し、前記比較値に基づいて更新信号を提供し、Ｎ個未満のビットを有し、かつ前記更新信号がデータ伝送減少を示しているときに前記現行データ・グループを表す更新データを提供するように構成された入力コントローラ（３６／１０２／２０２）と、
前記更新信号と前記更新データ・グループを受け取り、前記セルのグループを、
前記更新データ・グループ、前記先行データ・グループ、前記更新データ・グループおよび先行データ・グループの関数のうちの少なくとも１つからのＮビットのデータを有する前記更新信号に基づいて更新する表示コントローラ（３８／１０４／２０４）と
を具備するシステム（３０／１１０／２１０）。
【請求項２】
各データ・グループが、
表示可能画像を表す行の画像データ
を含み、
前記セルのグループが、
光変調アレイの行の光変調セル
を有し、
前記行の画像データの各サブグループが、前記行の光変調セルの１つの光変調セルに対応している
請求項１に記載のシステム。
【請求項３】
現行行の画像データのサブグループ位置の前記比較値が、先行行の画像データの対応するサブグループ位置におけるサブグループ値に対する前記現行行の画像データの前記サブグループ位置における前記サブグループ値の比較に基づいており、
前記更新信号が、
現行行の画像データのどのサブグループ位置が、前記先行行の画像データの前記対応するサブグループ位置の前記サブグループ値と一致するサブグループ値
を有し、
どのサブグループ位置が前記先行行の画像データの前記対応するサブグループ位置の前記サブグループ値と一致しないサブグループ値を有するかを示す
請求項２に記載のシステム。
【請求項４】
前記更新信号は、
前記現行行のデータの各サブグループ位置に対応する状況ビット
を有し、
各ビットは、
前記関連したサブグループ値が、前記先行行の画像データの前記対応するサブグループ位置における前記サブグループ値と一致しないことを示す第１の状態と、
前記関連したサブループ値が前記先行行の画像データの前記対応するサブグループ位置における前記サブグループ値と一致することを示す第２の状態と
を有し、
前記更新データ・グループは、
前記先行行の画像データの対応するサブグループ位置の前記サブグループ値と一致しないサブグループ値
を有する前記現行行の画像データのサブグループ
を含む
請求項３に記載のシステム。
【請求項５】
更新信号状況ビットが、前記第１の状態を有するときに、前記表示コントローラが、前記状況ビットと同じサブグループ位置を有する更新データ・グループからのサブグループを光変調セルの行のうちの対応する光変調セルに提供し、
更新信号状況ビットが、前記第２の状態を有するときに、前記状況ビットと同じサブグループを有する前記先行行の画像データのサブグループを前記光変調セルの行のうちの対応する光変調セルに提供する
請求項４に記載のシステム。
【請求項６】
現行行の画像データの各サブグループ位置の前記比較値は、
前記現行行の画像データの前記サブグループ位置の前記サブグループ値と、先行行の画像データの対応するサブグループ位置におけるサブグループ値との差分値
を含み、
前記更新値は、
現行行の画像データのどのサブグループ位置が、少なくとも所定のしきい差分値と等しい絶対値を有する関連差分値
を有し、
どのサブグループ位置が、前記所定のしきい差分値よりも小さい関連差分値を有するかを示す
請求項２に記載のシステム。
【請求項７】
前記更新信号は、
前記現行行のデータの各サブグループ位置に対応する状況ビット
を有し、
各ビットは、
前記関連差分値が、少なくとも前記所定のしきい差分値と等しい絶対値を有することを示す第１の状態と、
前記関連差分値が、前記所定のしきい差分値よりも小さい絶対値を有することを示す第２の状態と
を有し、
前記更新データ・グループは、
少なくとも前記しきい差分値と等しい絶対値を有する関連差分値を有する前記現行列の画像データのサブグループと、
前記差分値の前記絶対値が所定のしきい差分値未満であるサブグループの前記差分値と
を有する前記現行行の画像データのサブグループ
を含む
請求項６に記載のシステム。
【請求項８】
前記表示コントローラが、更新信号状況ビットが前記第１の状態を有するときに、
前記状況ビットと同じサブグループを有する前記更新データ・グループからのサブグループを、光変調セルの行のうちの対応する光変調セルに提供し、
更新信号状況ビットが、前記第２の状態を有するときに、
前記更新データ・グループからの差分値と、前記状況ビットと同じサブグループを有する前記先行行する画像データからのサブグループとの合計を、前記光変調セルの行のうちの対応する光変調セルに提供する
請求項７に記載のシステム。
【請求項９】
各データ・グループは、
表示可能画像を表す画像データのフレーム
を有し、
前記セルのグループは、
光変調セルのアレイ
を含み、
前記画像データ・フレームの各サブグループは、前記光変調セルのアレイのうちの１つの光変調セルに対応し、画像データの現行フレームのサブグループ位置の比較値が、先行フレームの画像データの対応するサブグループ位置におけるサブグループ値に対する現行フレームの画像データの前記サブグループ位置の前記サブグループ値の比較に基づく
請求項１に記載のシステム。
【請求項１０】
前記更新信号は、
先行フレームの画像データの対応するサブグループ位置のサブグループ値と一致しないサブグループ値を有する前記現行フレームの画像データのサブグループ位置の総数の比率が、所定のしきい値比率以下のときの第１の状態と、
前記比率が前記所定のしきい値比率を超えるときの第２の状態と
を有し、
前記更新データ・グループは、
前記更新信号が、前記第１の状態を有するときの前記現行フレームの画像データと、
前記更新信号が、前記第２の状態を有するときに、前記現行フレームの画像データのサブグループ位置の数よりも少なくかつ前記現行フレームの画像データの前記サブグループ値に基づくサブグループ値を有する量の代表的なサブグループと
を含む
請求項９に記載のシステム。
【請求項１１】
前記更新信号が、前記第１の状態を有するときに、
前記表示コントローラは、
前記現行フレームのデータの各サブグループを、前記光変調アレイの前記対応する光変調セルに提供し、
前記代表的な各サブグループを前記光変調アレイの前記光変調セルのうちの少なくとも２つに提供する
請求項１０に記載のシステム。
【請求項１２】
画像データに基づいて光を変調する表示セル（３２／１２０／２２０）を有する表示装置（５４／１０８／３０８）に対するデータ転送率を低下させる方法であって、
一連の画像データ・グループを受け取る段階であって、
各画像データ・グループは、
サブグループ値と、
サブグループ位置とをそれぞれ有するサブグループで配列されたＮ個のビットと
を有し、
各サブグループ位置は、セルのグループの１つのセルに対応している段階と、
現行画像データ・グループと、先行画像データ・グループの対応するサブグループ位置のサブグループ値とに基づいて、各サブグループ位置の比較値を決定する段階と、
前記比較値に基づいて、前記表示装置に更新信号を提供する段階と、
Ｎ個未満のビットを有し、前記更新信号がデータ伝送減少を示すときに前記現行画像データ・グループを表す更新画像データ・グループを前記表示装置に提供する段階と
を有する方法。
【請求項１３】
前記更新画像データ・グループ、前記先行画像データ・グループ、前記更新データ・グループおよび先行画像データ・グループの関数のうちの少なくとも１つからＮ個のビットのデータを有する前記更新信号に基づいて、前記セル・グループを更新する段階と
をさらに有する請求項１２に記載の方法。
【発明の詳細な説明】
【技術分野】
【０００１】
本発明は、データ・グループ比較機能を備えた表示装置に関する。
【背景技術】
【０００２】
ディジタル投影システムは、一般に、何らかのタイプの光変調アレイを構成するように配列された個別の光変調セルを利用して画像を表示し、各セルは、表示画像を表す画像データに応じて画素の少なくとも一部分を表示する。
そのような光変調アレイのデータ更新方式すなわちリフレッシュ方式は、一般に、アレイの個別の各セルを、表示画像の各フレームの画像データで更新することを含む。
【０００３】
光変調アレイの個別のセルが行と列で配列されているときに利用される１つのリフレッシュ方式は、アレイの各列に更新した画像データを「書き込む」み、次に特定の行の各光変調セルに対する画像データの更新を可能にすることを含む。
このプロセスを各行に順次繰り返して、アレイ全体を所定のフレームの画像データで更新する。
しかしながら、高分解能ディジタル投影システムをこの方式で更新するには、アレイに対する高いデータ転送率が必要である。
【０００４】
従って、システムの設計者は、多くの場合、そのような高いデータ転送率を低くするように設計されたアルゴリズムの開発に大きな努力を費やしている。
しかしながら、そのようなアルゴリズムは、多くの場合、投影画像に色の誤差や他の視覚的アーティファクトを導入しまた画像固有の解像度や色の深みを制限することがある画像補間や他の方式を利用する。
【発明の開示】
【発明が解決しようとする課題】
【０００５】
さらに、そのようなアルゴリズムを使用しているときでも、アレイの各セルは、個々のセル・データの多くがフレーム間で変化しない場合でも、各フレームごとに新しい画像データでリフレッシュされる。
従って、変化のない画像データを再書き込みするためにシステム帯域幅のかなりの部分が使用されることが多い。
【課題を解決するための手段】
【０００６】
本発明の１つの態様は、画像データに基づいて光を変調する表示セルを制御するシステムを提供する。
このシステムは、入力コントローラと表示コントローラとを含む。
入力コントローラは、一連の画像データ・グループを受け取るように構成され、各画像データ・グループはサブグループに配列されたＮ個のビットを有し、各サブグループは、セル・グループのうちの１つのセルに対応するサブグループ値とサブグループ位置を有する。
入力コントローラは、現行画像データ・グループと先行画像データ・グループの対応するサブグループ位置におけるサブグループ値に基づいて、各サブグループ位置の比較値を決定するように構成される。
入力コントローラは、さらに、比較値に基づいた更新信号を提供し、かつ更新信号がデータ伝送減少を示すときにＮ個未満のビットを有し現行画像データ・グループを表す更新画像データ・グループを提供する。
表示コントローラは、更新信号と更新画像データ・グループを受け取り、更新データ・グループ、先行データ・グループ、および更新データ・グループと先行データ・グループの関数のうちの少なくとも１つを形成するＮ個のビットのデータを有する更新信号に基づいてセル・グループを更新するように構成される。
【発明を実施するための最良の形態】
【０００７】
以下の詳細な説明において、その実施形態の一部を構成しかつ本発明を実施することができる固有の実施形態として示した添付図面を参照する。
この点で、「上」、「下」、「前」、「後ろ」、「先（ｌｅａｄｉｎｇ）」、「後（ｔｒａｉｌｉｎｇ）」などの方向を表す用語は、説明している図の向きに対して使用される。
本発明の実施形態の構成要素は、いくつかの異なる向きに配置できるので、方向を示す用語は、例示のために使用され、決して限定ではない。
他の実施形態を利用することができ、本発明の適用から逸脱することなく構造的または論理的な変更を行えることを理解されたい。
したがって、以下の詳細な説明は、限定の意味に解釈されるべきでなく、本発明の範囲は、添付した特許請求の範囲によって定義される。
【０００８】
図１Ａは、画像データに基づいて光を変調する一群の表示セル３２を制御するための、本発明によるデータ制御システム３０の１つの例示的な実施形態を概略的に示すブロック図である。
システム３０は、入力コントローラ３６と表示コントローラ３８とを含む。
入力コントローラ３６は、経路４１によって画像データ・ソース４０から一連の画像データ・グループを受け取る。
各画像データ・グループは、サブグループで配列されたＮビットを含み、各サブグループは、サブグループ値とサブグループ位置とを有し、各位置は、１群の表示セル３２のうちの１つのセルに対応する。
【０００９】
入力コントローラ３６は、各サブグループ位置の比較値を、現行画像データ・グループと先行画像データ・グループの対応するサブグループ位置のサブグループ位置値に基づいて決定する。
１つの実施形態において、先行画像データ・グループは、入力コントローラ３６内のメモリ４２に記憶されている。
入力コントローラ３６は、４４で、比較値に基づいて更新信号を提供し、４４の更新信号がデータ伝送減少を示しているときに、４６で、現行画像データ・グループを表しかつＮ未満のビットを有する更新画像データ・グループを提供する。
【００１０】
表示コントローラ３８は、４４で、更新信号を受け取り、４６で、更新画像データ・グループを受け取る。
表示コントローラ３８は、更新信号に基づく表示セル・グループ３２を、経路４８を介してＮビットの画像データで更新し、ここで、Ｎビットの画像データは、更新データ・グループ、先行画像データ・グループ、ならびに更新画像データ・グループと先行画像データ・グループの関数のうちの少なくとも１つからのものである。
１つの実施形態において、先行画像データ・グループは、表示コントローラ３８内のメモリ５０に記憶される。
【００１１】
更新信号がデータ伝送の減少を示していないとき、入力コントローラ３６は、本質的に、Ｎビットの現行画像データ・グループを表示コントローラ３８に渡し、４６の更新画像データ・グループは、Ｎビットの現行画像データ・グループを含む。
しかしながら、更新信号がデータ伝送の減少を示すとき、４６の更新画像データ・グループは、現行画像データ・グループを表し、Ｎ未満のビットを含み、それにより、入力コントローラ３６と表示コントローラ３８間のデータ伝送が減少する。
【００１２】
１つの実施形態において、光変調セル３２ａ〜３２ｇなどの光変調セル・グループ３２が、Ｘ行Ｙ列の光変調アレイ５２を形成するように構成される。
１つの実施形態において、表示コントローラ３８と光変調アレイ５２は、アレイ・チップ５４の一部である。
４４の更新信号がデータ伝送の減少を示すとき、本発明によるデータ制御システム３０は、現在採用されているデータ入力アルゴリズムによって生じる視覚的アーティファクトの導入によって起こる画質の低下なしに、画像データ・ソース４０からアレイ・チップ５４に転送される画像データの量を減少させる。
本発明の多数の実施形態が存在し、本発明の動作の説明を支援するために、後で、いくつかの実施形態をより詳細に説明する。
【００１３】
図１Ｂは、図１Ａの入力コントローラ３６が４０で受け取る例示的な画像データ・グループ６２の説明図６０である。
説明図において、画像データ・グループ６２は、更新される光変調アレイ５２の所定の行の現行画像データ・グループであり、Ｙ個のサブグループ６４ａ〜６４ｃを有し、１つのサブグループは、更新される所定の行の各セルに対応する。
各サブグループは、１からＭの画像データ・ビット６６ａ〜６６ｃを有し、その結果、画像データ・グループ６２は、合計Ｎの画像データ・ビット６８を有する。
画像データ・グループ６２は、入力コントローラ３６が４０で受け取った先行画像データ・グループ７０と後続画像データ・グループ７２を含む一連の画像データ・グループの一部であり、そこで、各画像データ・グループは、光変調アレイ５２の行分の画像データを含む。
他の実施形態において、画像データ・グループ６２は、光変調アレイの各セルのデータを含み、したがって、ＸにＹを掛けた積と等しい量のサブグループを有する。
【００１４】
図２は、本発明による表示システム１００の１つの例示的な実施形態を示すブロック図である。
表示システム１００は、入力コントローラ１０２、アレイ・コントローラ１０４、および光変調アレイ１０６を含む。
アレイ・コントローラ１０４と光変調アレイ１０６は、アレイ・チップ１０８上に配置されている。
入力コントローラ１０２とアレイ・コントローラ１０４は一緒に、画像データ・ソース１１２からアレイ・チップ１０８に転送される画像データ行を減らすシステム１１０を構成し、画像データは、光変調アレイ１０６によって表示される表示可能画像を表す。
【００１５】
入力コントローラ１０２は、メモリ１１４と比較器１１６を含む。
アレイ・コントローラ１０４は、メモリ１１８を含む。
光変調アレイ１０６は、Ｘ行とＹ列の光変調セル１２０のアレイを含み、各光変調セル１２０はメモリ１２２を含む。
各光変調セル１２０は、表示可能画像の画素を少なくとも部分的に表示するように構成され、各光変調セルは、関連したメモリ１２２に記憶された画像データに基づいて光を変調する。
【００１６】
光変調アレイ１０６は、表示可能画像のフレーム間で起こる変化を反映するために、表示可能画像のフレームごとに画像データによって更新される。
Ｘ行の光変調アレイ１０６の各行は、合計Ｘ個のイネーブル信号のために別個のイネーブル信号１２４を受け取り、所定の行のすべての光変調セル１２０が、同じイネーブル信号を受け取る。
更新される光変調アレイ１０６の所定の行の各光変調セル１２０は、合計Ｙ本の列ラインの別個の列ライン１２６を介して、アレイ・コントローラ１０４から画像データを受け取る。
【００１７】
１つの実施形態において、光変調アレイ１０６は行単位で更新され、表示可能画像の現行フレームの画像データは、アレイ・コントローラ１０４によってＹ本の各列ライン１２６に提供される。
次に、イネーブル信号１２４が、最初に更新される光変調アレイ１０６の所定の行に提供され、Ｙ本の各列ライン１２６上の画像データが、対応する光変調セル１２０のメモリ１２２に書き込まれる。
このプロセスは、Ｘ行の各光変調アレイ１０６の光変調セル１２０が、表示可能画像の現行フレームを表す画像データによって更新されるまで繰り返される。
１つの実施形態において、光変調アレイ１０６は、行「０」から行「Ｘ−１」まで順次更新される。
【００１８】
例示した実施形態において、１２８で、入力コントローラ１０２は、表示可能画像を表す一連の画像データ・グループを受け取り、ここで、各画像データ・グループは、Ｘ行の光変調アレイ１０６のうちの１つの行に対応する。
さらに、各画像データ・グループすなわちデータ行は、Ｙ個の画像データ・サブグループを含み、Ｙ個の各画像データ・サブグループはサブグループ値を有し、１つの行のＹ個の光変調セル１２０のうちの１つにそれぞれ対応する。
【００１９】
比較器１１６は、更新される現行行の各光変調セル１２０の各サブグループ値を、メモリ１１４に記憶された、前に更新された行の対応する光変調セル１２０のサブグループ値と比較する。
入力コントローラ１０２は、１３０で、前に更新された行の対応する光変調セル１２０のサブグループ値と一致しないサブグループ値を有する現行行の光変調セル１２０に対応する画像データ・サブグループだけを含む更新画像データ・グループを提供する。
入力コントローラ１０２は、さらに、１３２で、現行行のどの光変調セル１２０が、前に更新された行の対応する光変調セル１２０のサブグループ値と一致するサブグループ値を有し、現行行のどの光変調セル１２０が一致しない値を有するかを示す更新信号を提供する。
１つの実施形態において、サブグループ値は、互いに等しいときに互いに一致すると見なされる。
１つの実施形態において、サブグループ値は、互いの所定の範囲内にあるときに一致すると見なされる。
【００２０】
アレイ・コントローラ１０４は、１３０で更新画像データ・グループを受け取り、１３２で更新信号を受け取る。
アレイ・コントローラ１０４は、更新信号に基づいて、更新される現行行のサブグループ値と前に更新された行のサブグループ値が一致しなかった場合に、更新画像データ・グループからのデータ・サブグループを光変調セル１２０に対応する列ライン１２６に提供する。
アレイ・コントローラ１０４は、更新される現行行のサブグループ値と前に更新された行のサブグループ値が一致した場合に、メモリ１１８に記憶された、前に更新された行の画像データ・グループからのデータ・サブグループを、光変調セル１２０に対応する列ライン１２６に提供する。
【００２１】
１つの実施形態において、更新信号は、合計Ｙビットについて更新される現行行のＹ個の各セルに対応する１つのビットを含み、各ビットの状態は、セルが、更新画像データ・グループからの「新しい」画像データによって更新されるか、あるいは前に更新された行の画像データ・グループからの「古い」画像データによって更新されるかを示す。
例えば、値「１」を有するビットは、光変調セルが、更新画像データ・グループからの画像データによって更新されることを示し、値「０」は、セルが、前に更新された行の画像データ・グループからの画像データによって更新されることを示す。
１つの実施形態において、更新画像データ・グループのサブグループと更新信号のビットは、行の最後の光変調セルすなわちセル「Ｙ」から、列の最初の光変調セルすなわちセル「１」までに順番に提供される。
【００２２】
更新画像データ・グループは、データ転送率を最適化するタイプの転送方式を使用して、入力コントローラ１０２からアレイ・コントローラ１０４に転送される。
１つの実施形態において、更新画像データ・グループは、直接ビット・マップを使用して転送される。
１つの実施形態において、更新画像グループは、ランレングス符号化信号を使用して転送される。
１つの実施形態において、入力コントローラ１０２は、更新画像データ・グループに基づいて採用する転送方式のタイプを決定し、採用する転送方式を示す転送信号をライン１３４を介してアレイ・コントローラ１０４に提供する。
【００２３】
本発明による表示システム１００は、更新される現行行に、前に更新された行の画像データ・グループの対応するサブグループと一致しない画像データ・グループの画像データ・サブグループだけを提供することによって、画像データ・ソース１１２からアレイ・チップ１０８に転送される画像データ量を減らし、それにより、光変調アレイ１０６のフレーム更新と関連した更新時間が減少する。
表示可能画像が静止画像の場合、データ転送率はほぼ０に低下する。
さらに、表示アーティファクトが生成されないので、画質は低下しない。
【００２４】
図３は、図２に示した表示システム１００の動作を示す例示的な表１５０である。
表１５０に示した例において、光変調アレイ１０６は、少なくとも２行（Ｘ≧２）を含み、９列（Ｙ＝９）を有する。
例では「行１」の更新される現行行の画像データ・グループが、１５２に示され、９つのサブグループを含み、１つのサブグループは、１５４に０から８のセルとして示された光変調アレイ１０６の現行行のセルのうちの１つのセルに対応する。
例では「行０」の前に更新された行の画像データ・グループは、１５６で示され、やはり９つのサブグループを含み、１つのサブグループは、光変調アレイ１０６の前に更新された行のセルのうちの１つのセルに対応する。
表１５０に示したデータは、１６進形式である。
【００２５】
入力コントローラ１０２は、１２８で、画像データ・ソース１１２から画像データ・グループ１５２を受け取る。
次に、比較器１１６は、メモリ１１４に記憶された画像データ・グループ１５６と画像データ・グループ１５２を比較する。
入力コントローラ１０２は、１５８に示したように、更新される行の各光変調セル１５４に対応する１つのビットを有する更新信号を提供する。
各ビットの状態は、画像データ・グループ１５２のサブグループ・データが、画像データ・グループ１５６のサブグループ・データと一致するかどうかに依存し、「０」は一致を示し、「１」は一致がなかったことを含む。
１５８に示したように、光変調セルの位置０、１、４、６、７および８に対応する更新信号ビットは、一致を示す状態「０」を有し、光変調セル位置２、３および５に対応するビットは、一致のなかった状態「１」を有する。
したがって、入力コントローラ１０２によって１３２に提供される更新信号は、最上位ビット（ＭＳＢ）が光変調セル「８」に対応し、最下位ビットが光変調セル「０」に対応する「０００１０１１００」になる。
【００２６】
入力コントローラ１０２は、さらに、１６０に示したように、画像データ・グループ１５２と１５６のサブグループが一致しなかった場合に、光変調セル１５４に対応する画像データ・グループ１５２のサブグループを含む更新画像グループを提供する。
したがって、１６０に示したように、更新画像グループは、光変調セル２、３および５だけのサブグループを含む。
したがって、入力コントローラ１０２によって提供される更新画像データ・グループは、「０ｘＡ、０ｘ６、０ｘ４」となる。
【００２７】
アレイ・コントローラ１０４は、１３２で更新信号を受け取り、１３０で更新画像データ・グループを受け取る。
アレイ・コントローラ１０６は、更新信号１５８の対応するビットが「１」の場合に、更新画像データ・グループ１６０からのサブグループを、列ライン１２６を介して光変調セル１５４に提供する。
アレイ・コントローラ１０６は、更新信号１５８の対応するビットが「０」の場合に、メモリ１１８に記憶された画像データ・グループ１５６からのサブグループを、列ライン１２６を介して光変調セル１５４に提供する。
１６２に、更新される現行行の光変調セル１５４に提供される画像データを示す。
１６２に、光変調アレイ１０６の行「１」の各光変調セル１２０の対応するメモリ１２２に書き込まれるサブグループ・データを示す。
【００２８】
このプロセスは、光変調アレイ１０６の各光変調セル１２０が、表示可能画像の現行フレームのデータによって更新されるまで、光変調アレイ１０６の各行に順次繰り返される。
表１５０に示した例において、本発明によるシステム１１０は、画像データ・ソース１０８からアレイ・チップ１０８に転送されるデータ量を３分の２（更新信号によって転送されるデータを除く）に減少させる。
さらに、表示アーティファクトが生成されないので、画質が低下しない。
【００２９】
図４は、本発明による表示システム２００の１つの例示的な実施形態を示すブロック図である。
表示システム２００は、入力コントローラ２０２、アレイ・コントローラ２０４、および光変調アレイ２０６を含む。
アレイ・コントローラ２０４と光変調アレイ２０６は、アレイ・チップ２０８上に配置されている。
入力コントローラ２０２とアレイ・コントローラ２０４は一緒に、画像データ・ソース２１２からアレイ・チップ２０８に転送される画像データ量を減少させるシステム２１０を構成し、ここで、画像データは、光変調アレイ２０６によって表示される表示可能画像を表す。
【００３０】
入力コントローラ２０２は、メモリ２１４、減算器２１５、および比較器２１６を含む。
アレイ・コントローラ２０４は、メモリ２１８と加算器２１９を含む。
光変調アレイ２０６は、さらに、Ｘ行Ｙ列の光変調セル２２０のアレイを含み、各光変調セル２２０はさらにメモリ２２２を含む。
各光変調セル２２０は、表示可能画像の画素を少なくとも部分的に表示するように構成されており、各光変調セルは、関連したメモリ２２２に記憶された画像データに基づいて光を変調する。
【００３１】
光変調アレイ２０６は、表示可能画像のフレーム間で起こる変化を反映させるために、表示可能画像のフレームごとに画像データによって更新される。
Ｘ行の光変調アレイ２０６の各行は、合計Ｘ個のイネーブル信号について別個のイネーブル信号２２４を受け取り、所定の行のすべての光変調セル２２０は、同じイネーブル信号を受け取る。
更新される所定の行の光変調アレイ２０６の各光変調セル２２０は、合計Ｙ本の列ラインの個別の列ライン２２６を介して、アレイ・コントローラ２０４から画像データを受け取る。
【００３２】
１つの実施形態において、光変調アレイ２０６は行で更新され、表示可能画像の現行フレームの画像データは、アレイ・コントローラ１０４によって、Ｙ個の各列ライン２２６に提供される。
次に、イネーブル信号２２４が、最初に更新される所定の行の光変調アレイ２０６に提供され、Ｙ本の各列ライン２２６上の画像データが、対応する光変調セル２２０のメモリ２２２に書き込まれる。
このプロセスは、Ｘ行の各光変調アレイ２０６の光変調セル２２０が、表示可能画像の現行フレームを表す画像データによって更新されるまで繰り返される。
１つの実施形態において、光変調アレイ２０６は、行「０」から行「Ｘ−１」まで順次更新される。
【００３３】
示した実施形態において、入力コントローラ２０２は、表示可能画像を表す一連の画像データ・グループを２２８で受け取り、各データ・グループは、Ｘ行の光変調アレイ２０６のうちの１つの行に対応する。
各画像データ・グループすなわち行のデータは、Ｙ個の画像データ・サブグループを含み、Ｙ個の各画像データ・サブグループは、サブグループ値を有し、行のＹ個の光変調セル２２０のうちの１つにそれぞれ対応する。
【００３４】
減算器２１５は、現行行のデータの各サブグループ値と、同じ光変調セル２２０に対応する先行行のデータのサブグループ値との差を決定する。
先行行のデータは、メモリ２１４に記憶される。
比較器２１６は、各差分値（ｄｉｆｆｅｒｅｎｃｅ  ｖａｌｕｅ）の絶対値をしきい値と比較する。
このしきい値は、差分値を伝えるのに必要なビットの数が、関連したサブグループ・データを伝えるのに必要なビットの数よりも少なくなるような値である。
【００３５】
入力コントローラ２０６は、２３２で、現行データ・フレームのどのサブグループがしきい値未満の関連差分値を有するかを示し、どのサブグループがしきい値以上の関連差分値を有するかを示す更新信号を提供する。
入力コントローラ２０６は、さらに、２３０で、更新画像データ・グループを提供する。
更新画像データ・グループは、しきい値以上の関連差分値を有する現行行のデータからのサブグループと、しきい値未満の差分値を有するサブグループだけの差分値からのサブグループとを含む。
【００３６】
１つの実施形態において、更新信号は、合計Ｙビットに関して更新される現行行のＹ個の各セルに対応する１つのビットを含む。
各ビットの状態は、更新画像グループの関連サブグループが、現行行のデータからのサブグループであるか、差分値だけからのサブグループであるかどうかを示す。
例えば、値「１」を有するビットは、更新画像データ・グループの関連サブグループが、現行行のデータのサブグループであることを示し、値「０」は、更新画像データ・グループの関連サブグループが差分値であることを示す。
１つの実施形態において、更新画像データ・グループのサブグループと更新信号のビットは、行の最後の光変調セルすなわちセル「Ｙ−１］から、行の最初の光変調セルすなわちセル「０」までの順序で提供される。
【００３７】
アレイ・コントローラ２０４は、２３０で更新画像データ・グループを受け取り、２３２で更新信号を受け取る。
更新信号に基づいて、アレイ・コントローラ２０４は、現行行のデータのサブグループである更新画像データ・グループからのデータ・サブグループを、適切な列ライン２２６に直接提供する。
更新画像データ・グループの差分値の各サブグループに関して、加算器２１９は、差分値を、メモリ２１８に記憶された先行行のデータの対応するデータ・グループに追加する。
次に、アレイ・コントローラ２０４は、この演算の合計を適切な列ライン２２６に提供する。
【００３８】
更新画像データ・グループは、データ転送率を最適化するタイプの転送方式を使用して、入力コントローラ２０２からアレイ・コントローラ２０４に転送される。
１つの実施形態において、更新画像データ・グループは、直接ビット・マップを使用して転送される。
１つの実施形態において、更新画像グループは、ランレングス符号化信号を使用して転送される。
１つの実施形態において、入力コントローラ２０２は、更新画像データ・グループに基づいて使用する転送方式のタイプを決定し、どの転送信号を使用するかを示す転送信号をライン２３４を介してアレイ・コントローラ２０４に提供する。
【００３９】
本発明による表示システム２００は、しきい値未満の関連差分値を有する現行画像データ・グループのサブグループの差を表すようなビットだけを提供することによって、画像データ・ソース２１２からアレイ・チップ２０８に転送される画像データ量を減少させ、それにより、光変調アレイ２０６のフレーム更新と関連した更新時間が短縮される。
さらに、視覚的アーティファクトが生成されないので、画質が低下しない。
【００４０】
図５は、図４の表示システム２００の動作を示す例を表す表２５０である。
表２５０で示した例において、光変調アレイ２０６は、少なくとも２行（Ｘ≧２）を含み、９列（Ｙ＝９）を有する。
例えば「行１」の更新する現行行の画像データ・グループ  を２５２に示す。
画像データ・グループ２５２は、９つのサブグループを含み、１つのサブグループが、２５４に０から８までのセルとして示した、更新される光変調アレイ２０６の現行行のセルのうちの１つのセル２２０に対応している。
例えば「行０」の前に更新された行の画像データ・グループは、２５６で示され、やはり９つのサブグループを含み、１つのサブグループは、光変調アレイ２０６の前に更新された行のセル２２０のうちの１つのセルに対応する。
表２５０に示したデータは１６進形式である。
【００４１】
入力コントローラ１０２は、２２８で、画像データ・ソース２１２から画像データ・グループ２５２を受け取る。
減算器２１５は、先行画像更新グループ２５６の各サブグループを、現行画像データ・グループ２５２の対応するサブグループから減算して、現行画像データ・グループ２５２の各サブグループに対応する差分値を決定する。
次に、比較器２１６は、各差分値の絶対値をしきい値と比較する。
例示のため、図５の例ではしきい値「４」が使用されている。
【００４２】
入力コントローラは、２３２で更新信号を提供し、比較に基づいて２３０で更新画像データ・グループを提供する。
２５８に示した更新信号は、更新される行の各光変調セル１５４に対応する１つのビットを有する。
各ビットの状態は、更新画像データ・グループ２５２の各サブグループと関連した差分値が、しきい値よりも小さいかどうかに依存する。
値「１」を有するビットは、サブグループと関連した差分値がしきい値以上であったことを示し、値「０」を有するビットは、サブグループと関連した差分値がしきい値未満であったことを示す。
２５８に示したように、光変調セル０、１、４、６および８に対応する更新信号ビットは、対応する差分値がしきい値以上であることを示す値「１」を有し、セル位置２、３、５および７に対応するビットは、対応する差分値がしきい値未満であることを示す値「０」を有する。
したがって、２３２で入力コントローラ２０２によって提供される更新信号は、ＭＳＢが光変調セル「８」に対応し、ＬＳＢがは光変調セル「０」に対応する「１０１０１００１１」になる。
【００４３】
２６０に示したように、入力コントローラ２０２は、さらに、更新画像データ・グループを提供する。
画像更新データ・グループ２６０は、しきい値以上の対応する差分値を有する現行画像データ・グループのサブグループと、しきい値以上の関連差分値を有する現行画像データ・グループのサブグループだけの差分値を有するサブグループとを含む。
したがって、入力コントローラ２０２によって提供される更新データ・グループ２６０は、「０ｘＡ、０ｘ７、０ｘ２、０ｘ１、０ｘ１、０ｘ３、０ｘ４、０ｘ０、０ｘＦ」として現れる。
【００４４】
アレイ・コントローラ２０４は、２３２で更新信号を受け取り、１３０で更新画像データ・グループを受け取る。
アレイ・コントローラ２０４は、更新信号に基づき、更新信号１５８の対応するビットが値「１」を有する場合は、サブグループを更新画像データ・グループ２６０から列ライン２２６を介して光変調セル１５４に提供する。
更新信号１５８のビットが値「０」を有する場合、加算器２１９は、更新画像データ・グループ２６０からの対応する差分値を、メモリ２１８に記憶された更新画像データ・グループ２５６の対応するサブグループに加える。
アレイ・コントローラ２０４は、この加算の合計を、列ライン２２６を介して、対応する光変調セル１５４に提供する。
２６２に、光変調アレイ２０６の「行１」の各光変調セル２２０の対応するメモリ２２２に書き込まれたサブグループ・データを示す。
【００４５】
このプロセスは、各光変調セル２２０が表示画像の現行フレームの画像データによって更新されるまで、光変調アレイ２０６の各行に順次繰り返される。
表２５０で示した例では、光変調セル２、３、５および７の差分データだけを転送することによって、本発明によるシステム１１０は、画像データ・ソース２１２からアレイ・チップ２０８に転送されるデータ量を減少させる。
【００４６】
しかしながら、あるフレームから次のフレームまでに光変調セル２２２のサブグループ・データのかなりの部分が変化する希な状況では、前に図４と図５によって説明し示したような本発明の実施形態は、アレイ・チップ２０８へのデータ転送率を低下させないことを理解されたい。
しかしながら、そのような状況では、ユーザが知覚できる光変調アレイ２０６の最大空間分解能が大幅に低下し、知覚できる画質の低下なしに光変調アレイの空間分解能を低下させることができる。
【００４７】
光変調アレイ２０６の空間分解能を低下させる１つの方式は、各光変調セル２２０に個別の画像データ・サブグループを送るのと対照的に、複数の光変調セル２２０に同じ画像データ・サブグループを提供することである。
提供する画像データ・グループを少なくすることによって、光変調アレイ２０６によって表示される画像の品質の知覚可能な低下なしに、アレイ・チップ２０８へのデータ転送率が低下する。
そのような方式を、以下に図６によって詳細に示す。
【００４８】
図６は、本発明による表示システム３００の１つの例示的な実施形態を示すブロック図である。
表示システム３００は、入力コントローラ３０２、アレイ・コントローラ３０４、および光変調アレイ３０６を含む。
アレイ・コントローラ３０４と光変調アレイ３０６は、アレイ・チップ３０８上にある。
入力コントローラ３０２とアレイ・コントローラ３０４は一緒に、画像データ・ソース３１２からアレイ・チップ３０８に転送される画像データ量を減らすシステム３１０を構成し、画像データは、光変調アレイ３０６によって表示される表示可能画像を表す。
【００４９】
入力コントローラ３０２は、メモリ３１４と比較器３１６を含む。
光変調アレイ３０６は、Ｘ行Ｙ列の光変調セル３２０のアレイを含み、各光変調セル３２０は、さらにメモリ３２２を含む。
各光変調セル３２０は、表示可能画像の画素の少なくとも一部分を表示するように構成され、各光変調セルは、関連したメモリ３２２に記憶された画像データに基づいて光を変調する。
【００５０】
光変調アレイ３０６は、フレーム間で表示可能画像に生じる変化を反映させるために、表示可能画像のフレームごとに画像データによって更新される。
Ｘ行の光変調アレイ３０６の各行は、合計Ｘ個のイネーブル信号に関して個別のイネーブル信号３２４を受け取り、所定の行のすべての光変調セル３２０は、同じイネーブル信号を受け取る。
更新される光変調アレイ３０６の所定の行の各光変調セル３２０は、Ｙ本の列ラインのすべてに関して個別の列ライン３２６を介して、アレイ・コントローラ３０４から画像データを受け取る。
【００５１】
１つの実施形態において、光変調アレイ３０６は行単位で更新され、表示可能画像の現行フレームを表す画像データが、アレイ・コントローラ１０４によって各Ｙ列ライン３２６に提供される。
次に、イネーブル信号３２４は、最初に更新される光変調アレイ３０６の所定の行に提供され、各Ｙ列ライン３２６の画像データが、対応する光変調セル３２０のメモリ３２２に書き込まれる。
このプロセスは、Ｘ行の各光変調アレイ３０６の光変調セル３２０が、表示可能画像の現行フレームを表す画像データによって更新されるまで繰り返される。
１つの実施形態において、光変調アレイ３０６は、行「０」から行「Ｘ−１」まで逐次的に更新される。
【００５２】
示した実施形態において、入力コントローラ３０２は、３２８で、表示可能画像を表す一連の画像データ・グループを受け取り、ここで、各データ・グループは、光変調アレイ３０６のデータのフレームに対応している。
各画像データ・グループ、すなわちデータ・フレームは、ＸにＹを掛けた積と等しい合計１０のサブグループ（Ｎ）を含み、各サブグループは、サブグループ値と、光変調アレイ３０６の１つの光変調セル３２０に対応する。
【００５３】
比較器３１６は、現行データ・フレームのＮ個の各サブグループの各サブグループ値を、同じ光変調セル３２２に対応する先行データ・フレームのサブグループのサブグループ値と比較する。
入力コントローラ３０２は、３２２で、Ｎ個のサブグループのうち先行データ・フレームの対応するサブグループ値と一致しないサブグループ値を有する比率がしきい値比率以下であるときの第１の状態と、その比率がしきい値比率を超えたときの第２の状態とを有する更新信号を提供する。
【００５４】
比較器１１６は、更新信号が第１の状態を有するときにＮ未満のサブグループを含む更新画像データ・グループを提供し、各サブグループは、現行データ・フレームのサブグループに基づきそのサブグループを表すサブグループ値を有する。
比較器１１６は、更新信号が第２の状態を有するときに、３３０で、現行データ・フレームのＮ個のサブグループを含む更新画像データ・グループを提供する。
１つの実施形態において、更新画像データ・グループが、Ｎ個未満のサブグループを含むとき、Ｎ個未満のサブグループは、現行データ・フレームの所定のグループのデータ・サブグループを含む。
１つの実施形態において、更新画像データ・グループが、Ｎ個未満のサブグループを含むとき、Ｎ個未満のサブグループはそれぞれ、光変調セル３２２の所定のグループに対応する現行データ・フレームの１組のサブグループのサブグループ値の平均値のサブグループ値を有する。
【００５５】
アレイ・コントローラ１０４は、１３０で更新画像データ・グループを受け取り、１３２で更新信号を受け取る。
更新信号が第１の状態を有するとき、アレイ・コントローラ３０４は、光変調アレイ３０６を行単位で更新し、更新画像データ・グループのＮ個未満の各サブグループを、光変調アレイ３０６の所定のグループの光変調セル３２２に書き込む。
更新信号が、第２の状態を有するとき、アレイ・コントローラ３０４は、光変調アレイ３０６を行単位で更新し、現行データ・フレームの各サブグループを、対応する光変調セル３２２のメモリ３２２に書き込む。
【００５６】
更新画像データ・グループは、データ転送率を最適化するタイプの転送方式を使用して、入力コントローラ１０２からアレイ・コントローラ１０４に転送される。
１つの実施形態において、更新画像データ・グループは、直接ビット・マップを使用して転送される。
１つの実施形態において、更新画像グループは、ランレングス符号化信号を使用して転送される。
１つの実施形態において、入力コントローラ１０２は、更新画像データ・グループに基づいて使用する転送方式のタイプを決定し、どの転送方式が使用されるかを示す転送信号を線１３４を介してアレイ・コントローラ１０４に提供する。
【００５７】
本発明による表示システム３００は、あるデータ・フレームから次のデータ・フレームでサブグループの大部分が変化しているときにデータ・フレームの総数よりも少ない数のサブグループを転送することによって、画像データ・ソース３１２からアレイ・チップ３０８に転送される画像の量を少なくする。
この技術によって、光変調アレイ３０６の空間分解能が低下するが、その分解能の低下はユーザには知覚できない。
【００５８】
図７Ａと図７Ｂは、図６に示した表示システム３００の動作を示す例示的な図である。
示した例において、光変調アレイ３０６は、合計（Ｎ）が３６の光変調セル３２０を有する６行６列のアレイである。
図７Ａは、各セルが１から３６までで示された６ｘ６の光変調アレイ３０６を３５０で示す。
あるフレームから次のフレームへ変化する画像データを有するサブグループの比率がしきい値比率を超える例を想定されたい。
この状況において、入力コントローラ３０２は、３０２で、第１の状態を有する更新信号を提供し、Ｎ未満（すなわち、３６未満）のサブグループを３３０の更新画像データ・グループによってアレイ・コントローラ３０４に提供する。
【００５９】
図７Ｂの３６０に示したような説明的な例において、入力コントローラ３０２は、アレイ・コントローラ３０４に、サブグループＡからＩとして示された９つの画像データ・サブグループだけを提供する。
アレイ・コントローラ３０４は、９つの各画像データ・サブグループを、光変調アレイ３０６の４つの光変調セル３２０の所定のグループに提供する。
図７Ｂによって示したように、アレイ・コントローラ３０４は、サブグループＡを光変調セル１、２、７および８に提供し、サブグループＢをセル３、４、９および１０に提供し、サブグループＣをセル５、６、１１および１２に提供し、サブグループＤをセル１３、１４、１９および２０に提供し、サブグループＥをセル１５、１６、２１および２２に提供し、サブグループＦをセル１７、１８、２３および２４に提供し、サブグループＧをセル２５、２６、３１および３２に提供し、サブグループＨをセル２７、２８、３３および３４に提供し、サブグループＩをセル２９、３０、３５および３６に提供する。
【００６０】
１つの実施形態において、９つのサブグループＡからＩはそれぞれ、９つの各サブグループがアレイ・コントローラ３０４によって提供される光変調アレイ３０６の４つの光変調セル３２２に対応する現行データ・フレームの４つのサブグループの平均値を含む。
例えば、１つの実施形態において、サブグループＡは、光変調セル１、２、７および８に対応する現行データ・フレームのサブグループの平均値を含む。
１つの実施形態において、９つのサブグループＡからＩはそれぞれ、９つの各サブグループがアレイ・コントローラ３０４によって提供される光変調アレイ３０６の４つの光変調セル３２２に対応する現行データ・フレームの４つのサブグループのうちの１つのサブグループを含む。
例えば、１つの実施形態において、サブグループＡは、光変調セル「１」に対応する現行データ・フレームのサブグループの画像データを含む。
【００６１】
図７Ａと図７Ｂの説明的な例において、本発明による表示システム３００は、画像データ・サブグループを３６ではなく９つだけ提供することによって、画像データ・ソース３１２からアレイ・チップ３０８に転送される画像データ量を７５％に減らす。
この技術によって、光変調アレイ３０６の空間分解能が低下するが、この分解能の低下はユーザに知覚できない。
【００６２】
別個に説明したが、図２〜図７Ｂに示した実施形態を組み合わせて１つの表示システムを構成できる可能性がある。
図８は、前に図２〜図７Ｂによって示した実施形態を組み合わせる本発明による表示システムによって使用される可能性があるプロセス４００の１つの例示的な実施形態を示す流れ図である。
図１も参照する。
【００６３】
プロセス４００は、４０２に示したように始まる。
段階４０４で、入力コントローラ３６が、光変調アレイ５４によって表示される画像を表す画像データの現行フレームを受け取る。
段階４０６で、図６、図７Ａおよび図７Ｂによって示したように、入力コントローラ３６は、画像データの現行フレームの各サブグループ値を、画像データの先行フレームの対応するサブグループ値と比較する。
段階４０８で、プロセス４００は、先行フレームの対応するサブグループ値と一致しない現行フレームからのサブグループ値の比率がしきい値比率よりも高いかどうかを照会する。
答えが「ＹＥＳ」の場合、段階４１０のプロセス４００は、図６、図７Ａおよび図７Ｂによって示した方式と類似の方式で光変調アレイ５２の空間分解能を低下させる。
【００６４】
次に、プロセス４００は、段階４０４に戻り、画像データの次のフレームを受け取る。
段階４０８の照会に対する答えが「ＮＯ」の場合、プロセス４００は段階４１２に進み、画像データ・サブグループの行ごとの比較が始まる。
段階４１２で、入力コントローラは、現行行の画像データの各サブグループ値と、先行行の画像データの対応するサブグループ値との差分値を決定する。
段階４１４で、図４と図５に示したように、プロセス４００は、画像データの現行行の所定のサブグループと関連した差分値が、０よりも大きいが所定のしきい差分値より小さいかどうかを照会する。
答えが「ＹＥＳ」の場合、プロセス４００は段階４１８に進み、図４と図５に示した方式と類似の方式で、所定のサブグループと関連した差分値だけが、経路４６を介して表示制御装置３８に提供される。
次に、プロセス４００は、段階４２４に進む。
【００６５】
段階４１４の照会に対する答えが「Ｎｏ」の場合、プロセス４００は段階４１８に進む。
段階４１８で、プロセス４００は、現行行の画像データの所定のサブグループと関連した差分値が０と等しいかどうかを照会する。
答えが「Ｎｏ」の場合、プロセス４００は段階４２０に進み、図２と図３に示した方式と類似の方式で、現行行の画像データの所定のサブグループが、経路４６を介して表示コントローラ３８に提供される。
次に、プロセス４００は、段階４２４に進む。
段階４１８の照会に対する答えが「ＹＥＳ」の場合、プロセス４００は段階４２２に進む。
段階４２２で、この場合も図２と図３と類似の方式で、現行行の画像データの所定のサブグループのデータが、入力コントローラ３８に提供されない。
プロセス４００は、次に、段階４２４に進む。
【００６６】
段階４２４で、プロセス４００が、所定のサブグループが現行行の画像データの最後のサブグループかどうかを照会する。
答えが「ＹＥＳ」の場合、プロセス４００は、段階４２６で現行行の画像データの次のサブグループに進み、段階４１４に戻る。
答えが「ＹＥＳ」の場合、プロセス４００は段階４２８に進む。
【００６７】
段階４２８で、プロセス４００は、現行行の画像データが現行フレームの画像データの画像データの最後の行かどうかを照会する。
答えが「ＹＥＳ」の場合、プロセス４００は、画像データの現行フレームの画像データの次の行に進み、段階４１２に戻る。
答えが「ＹＥＳ」の場合、プロセス４００は段階４０４に戻り、そこで、入力コントローラ３６は、フレーム・データの一連のグループにおける次のフレームの画像データを受け取る。
【００６８】
要するに、本発明によるデータ制御システム３０は、データ量の変化が所定のしきい値量より少ない状況において、フレーム間で変化するデータだけを提供することによって、ディジタル・プロジェクタ・システムなどの光変調表示装置へのデータ転送率を減少させる。
そのような状況において、現在使用されているデータ入力アルゴリズムによって生じる品質低下視覚的アーティファクトを作成することなくデータ転送率が低下される。
さらに、フレーム間で変化する画像データの量が、ユーザの視覚的理解力を超える状況において、データ制御システム３０は、光変調表示の空間分解能をユーザが知覚できないように低下させることによってデータ転送率を低下させる。
【００６９】
本明細書において特定の実施形態を示し説明したが、本発明の範囲を逸脱せずに、示し説明した特定の実施形態に様々な代替および／または等価な実施形態を置き換えることができることは、当業者に理解されよう。
本出願は、本明細書において考察した特定の実施形態の任意の適応または変形を対象として含むように意図されている。
したがって、本発明は、特許請求の範囲およびその等価物によってのみ限定されるものである。
【図面の簡単な説明】
【００７０】
【図１Ａ】本発明による表示セルを制御するシステムの例示的な実施形態を示す図である。
【図１Ｂ】例示的なデータ・グループの説明図である。
【図２】本発明による表示システムの１つの例示的な実施形態を示すブロック図である。
【図３】図２の表示システムの動作を示す図である。
【図４】本発明による表示システムの１つの例示的な実施形態を示すブロック図である。
【図５】図４の表示システムの動作を示す図である。
【図６】本発明による表示システムの１つの例示的な実施形態を示すブロック図である。
【図７Ａ】図６の表示システムの動作を示す図である。
【図７Ｂ】図６の表示システムの動作を示す図である。
【図８】本発明による表示システムの１つの例示的な実施形態の動作を示す流れ図である。
【符号の説明】
【００７１】
３０，１１０，２１０・・・制御システム、
３２，１２０，２２０・・・表示セル、
３６，１０２，２０２・・・入力コントローラ、
３８，１０４，２０４・・・表示コントローラ、
５４，１０８，３０８・・・表示装置、
３２ａ・・・セル（１，１）、
３２ｂ・・・セル（１，２）、
３２ｃ・・・セル（１，Ｙ）、
３２ｄ・・・セル（２，１）、
３２ｅ・・・セル（２，２）、
３２ｆ・・・セル（２，Ｙ）、
３２ｇ・・・セル（Ｘ，１）、
３６・・・入力コントローラ、
３８・・・表示コントローラ、
４０・・・画像データ・ソース、
４２・・・メモリ、
４４・・・更新信号、
４６・・・更新データ、
５０・・・メモリ、
５２・・・光変調アレイ、
５４・・・アレイ・チップ、
６２・・・現行画像データ・グループ、
６４ａ・・・サブグループ０、
６４ｂ・・・サブグループ１、
６４ｃ・・・サブグループ（Ｙ−１）、
６８・・・Ｎビット、
７０・・・先行画像データ・グループ、
７２・・・後続画像データ・グループ、
１０２・・・入力コントローラ、
１０４・・・アレイ・コントローラ、
１０６・・・光変調アレイ、
１０８・・・アレイ・チップ、
１１２・・・画像データ・ソース、
１１４・・・メモリ、
１１６・・・比較器、
１１８・・・メモリ、
１２２・・・メモリ、
１３０・・・更新画像データ、
１３２・・・更新信号、
２０２・・・入力コントローラ、
２０４・・・アレイ・コントローラ、
２０６・・・光変調アレイ、
２０８・・・アレイ・チップ、
２１２・・・画像データ・ソース、
２１４・・・メモリ、
２１５・・・減算器、
２１６・・・比較器、
２１８・・・メモリ、
２１９・・・加算器、
２２２・・・メモリ、
２３０・・・更新画像データ、
２３２・・・更新信号、
３０２・・・入力コントローラ、
３０４・・・アレイ・コントローラ、
３０６・・・光変調アレイ、
３０８・・・アレイ・チップ、
３１２・・・画像データ・ソース、
３１４・・・メモリ、
３１６・・・比較器、
３２２・・・メモリ、
３３０・・・更新画像データ、
３３２・・・更新信号、
【図１Ａ】
2005115368.tif 000003
【図１Ｂ】
2005115368.tif 000004
【図２】
2005115368.tif 000005
【図３】
2005115368.tif 000006
【図４】
2005115368.tif 000007
【図５】
2005115368.tif 000008
【図６】
2005115368.tif 000009
【図７Ａ】
2005115368.tif 000010
【図７Ｂ】
2005115368.tif 000011
【図８】
2005115368.tif 000012